(57)【特許請求の範囲】
【請求項１】
表面に吸引孔が設けられるとともに、該吸引孔に連なる通気通路が設けられたドラグローラと、
前記通気通路に配管系を介して接続された真空発生装置と、
ウェブの断紙を検出する紙切れ検出器と、
前記配管系に設けられ、前記紙切れ検出器が断紙を検出した場合に、前記通気通路を閉じた状態から開く切換弁とを備えることを特徴とする印刷機の吸着式ウェブキャッチャ。
【発明の詳細な説明】
【０００１】
【産業上の利用分野】
本発明は、輪転印刷機等の印刷機の運転中に断紙した場合に切断紙により生じる胴巻きなどのトラブルを防止する際に使用する印刷機の吸着式ウェブキャッチャに関するものである。
【０００２】
【従来の技術】
従来の印刷機の吸着式ウェブキャッチャを図３、図４により説明すると、５が紙切れ検出器、６ｃが切換弁、８がウェブ、９が駆動系、１１がドラグローラ、１２が紙押えローラ、１３ａ、１３ｂがアーム、１４がレバー、１５が支持軸、１６がエアシリンダ、１７が圧縮装置、１８が印刷胴である。
【０００３】
輪転印刷機では、運転中に断紙すると、ウェブ８が印刷ユニット内に引き込まれて、印刷胴１８に巻き付き、ブランケットや刷版なとを損傷させるとともに、その復元に多大の時間を要する。
従って最近の高速輪転印刷機では、図４に示す印刷ユニットを出た後にウェブキャッチャを設け、断紙時に切れたウェブ８が印刷胴１８に巻き付くのを防止している。
【０００４】
図３によりウェブキャッチャを具体的に説明すると、印刷ユニットの上部にドラグローラ１１を配置し、このドラグローラ１１の軸芯に平行に支持軸１５を配置し、この支持軸１５にアーム１３ａ、１３ｂを取付け、このアーム１３ａ、１３ｂによりゴム被覆の紙押えローラ１２を保持し、エアシリンダ１６の作動により、レバー１４を介して支持軸１５を中心に紙押えローラ１２を揺動させて、この紙押えローラ１２をドラグローラ１１に着脱させるようになっている。
【０００５】
この紙押えローラ１２は、通常の運転時には、ドラグローラ１１に対して僅かの隙間を置いて非接触の状態を保っているが、断紙すると、この状態を紙切れ検出器５により検出し、そのとき得られる断紙信号をエアシリンダ１６へ送って、エアシリンダ１６を作動し、紙押えローラ１２をドラグローラ１１に即座に押圧させて、切れたウェブ８を紙押えローラ１２とドラグローラ１１とで挟持する。
【０００６】
一方、ドラグローラ１１は、上記断紙信号により急制動するが、印刷ユニットと歯車またはタイミングベルトなどの駆動系９に繋がっているので、輪転印刷機が完全に停止するまで暫時回転するので、切れたウェブ８を紙押えローラ１２とドラグローラ１１とで挟持した状態で回転して、ウェブ８を印刷ユニットに引き込まれないようにしている。
【０００７】
【発明が解決しようとする課題】
前記図３、図４に示す従来の印刷機の吸着式ウェブキャッチャは前記のように断紙信号により、ドラグローラ１１を押圧する紙押えローラ１２を必要としているので、次の欠点があった。即ち、
（１）紙押えローラ１２の他に、支持軸１５、アーム１３ａ、１３ｂ、レバー１４などがドラグローラ１１の前面にあるため、これらのものが邪魔になり、手作業で紙通しを行う場合や巻き付いた紙の除去作業を行う場合、作業がやりにくい上に、危険である。
（２）紙押えローラ１２、支持軸１５、アーム１３ａ、１３ｂ、レバー１４、エアシリンダ１６、及び作動機器類を必要として、吸着式ウェブキャッチャを高価にするという問題があった。
【０００８】
本発明は前記の問題点に鑑み提案するものであり、その目的とする処は、▲１▼手作業で紙通しを行う場合や巻き付いた紙の除去作業を行う場合、作業を安全に、容易に行うことができ、▲２▼製作コストを低減できる印刷機の吸着式ウェブキャッチャを提供しようとする点にある。
【０００９】
【課題を解決するための手段】
上記の目的を達成するために、本発明の印刷機の吸着式ウェブキャッチャは、表面に吸引孔が設けられるとともに、該吸引孔に連なる通気通路が設けられたドラグローラと、前記通気通路に配管系を介して接続された真空発生装置と、ウェブの断紙を検出する紙切れ検出器と、前記配管系に設けられ、前記紙切れ検出器が断紙を検出した場合に、前記通気通路を閉じた状態から開く切換弁とを備えている。
【００１０】
【作用】
本発明の印刷機の吸着式ウェブキャッチャは前記のように構成されており、運転中に断紙すると、紙切れ検出器が断紙信号を送出する。この紙切れ信号により切換弁が開き、ドラグローラ内の通気通路が配管系を介して真空発生装置に連通して、ドラグローラ内の通気通路が真空状態になる。このため、ドラグローラの表面に面接触して走行しているウェブがドラグローラの吸引孔を介してドラグローラの表面に吸着される。一方、ドラグローラは、印刷機が完全に停止するまで駆動系を介して暫時回転するので、切断したウェブは、ドラグローラの表面に巻き取られる。
【００１１】
【実施例】
次に本発明の印刷機の吸着式ウェブキャッチャを図１、図２に示す一実施例により説明すると、１がドラグローラで、このドラグローラ１の表面には、多数の吸引孔２が設けられ、この吸引孔２に連なる通気通路３がドラグローラ１の内部に設けられ、この通気通路３がロータリジョイント１０と配管７とを介して真空発生装置４に接続され、紙切れ検出器５からの信号により開閉する切換弁６ａが通気通路３に連なる配管７に設けられ、ドラグローラ１の一端部が駆動系９に接続している。
【００１２】
また上記配管７の切換弁６ａの下流側は、２方向に分岐されて、一方は上記のように真空発生装置４に接続されているが、他方は紙粉吸引装置へ接続され、この他方の配管の途中には、切換弁６ｂが設けられている。８はウェブである。
次に前記図１、図２に示す印刷機の吸着式ウェブキャッチャの作用を具体的に説明する。
【００１３】
運転中に断紙すると、紙切れ検出器５が断紙信号を送出する。この紙切れ信号により切換弁６ａが開き、ドラグローラ１内の通気通路３が配管７を介して真空発生装置４に連通して、ドラグローラ１内の通気通路３が真空状態になる。
このため、ドラグローラ１の表面に面接触して走行しているウェブ８がドラグローラ１の各吸引孔２を介してドラグローラ１の表面に吸着される。
【００１４】
一方、ドラグローラ１は、印刷機が完全に停止するまで駆動系９を介して暫時回転するので、切断したウェブ８は、ドラグローラ１の表面に巻き取られる。
なおウェブ８を走行走行に切断するスリッタ（図示せず）により発生する紙粉は、切換弁６ｂを開いて、紙吸引装置へ吸引する。
【００１５】
【発明の効果】
本発明の印刷機の吸着式ウェブキャッチャは前記のように運転中に断紙したとき、紙切れ検出器からの断紙信号により切換弁を開き、ドラグローラ内の通気通路を配管系を介して真空発生装置に連通して、ドラグローラ内の通気通路を真空状態し、ドラグローラの表面に面接触して走行しているウェブをドラグローラの吸引孔を介してドラグローラの表面に吸着する。一方、ドラグローラは、印刷機が完全に停止するまで駆動系を介して暫時回転するので、切断したウェブをドラグローラの表面に巻き取るので、ドラグローラの前面に紙押えローラ、支持軸、アーム、レバーなどを設ける必要がなくて、手作業で紙通しを行う場合や巻き付いた紙の除去作業を行う場合、作業を安全に、容易に行うことができる。
【００１６】
また上記のように紙押えローラ、支持軸、アーム、レバーなどを不要にできるので、印刷機の吸着式ウェブキャッチャの製作コストを低減できる。
【図面の簡単な説明】
【図１】本発明の印刷機の吸着式ウェブキャッチャの一実施例を示す系統図である。
【図２】同吸着式ウェブキャッチャのドラグローラの縦断側面図である。
【図３】従来の印刷機の吸着式ウェブキャッチャを示す系統図である。
【図４】同吸着式ウェブキャッチャの側面図である。
【符号の説明】
１          ドラグローラ
２          吸引孔
３          通気通路
４          真空発生装置
５          紙切れ検出器
６ａ        切換弁
６ｂ          〃
７          配管系
８          ウェブ
９          駆動系
【図１】
0003615821.tif 000002
【図２】
0003615821.tif 000003
【図３】
0003615821.tif 000004
【図４】
0003615821.tif 000005